(57)【特許請求の範囲】
【請求項１】
コンクリートの床盤にアンカーボルトの差込孔を穿孔し、複数のアンカーボルトを介して床盤の上に立設するために、中空の内周面にアンカーボルトの差しポケットが突設されるアルミ押出形材からなり、その各差しポケットが突出端面に開口溝を有するビスポケット形である支柱において、その支柱の下端部に挿入する短片形であって、差しポケットの配列の中心となる心部管に差しポケットの外側にスライド可能に嵌合する被覆ポケットが形成され、被覆ポケットは、差しポケットを抱える左右一対の円弧形リブを心部管から突出してなり、両円弧形リブの先端が差しポケットの突出頸部を挟むように形成されてなることを特徴とするアンカーボルト付き支柱における補強部材。
【請求項２】
被覆ポケットの両円弧形リブの先端間としての開口部の奥内面に、心部管の中心に向かってビスの螺入孔を穿孔し、ビス頭がアンカーボルトにスライドを制御する程度に緩く接触するように調整可能に構成したことを特徴とする請求項１記載のアンカーボルト付き支柱における補強部材。
【発明の詳細な説明】
【技術分野】
【０００１】
この発明は、アルミ押出形材からなる支柱、例えばアルミ手摺支柱（支柱心材を含む）をアンカーボルトによりコンクリートの床盤に立設する場合に、アンカーボルトの取付け箇所が強化されることになるアンカーボルト付き支柱における補強部材に関する。
【背景技術】
【０００２】
コンクリート建造物におけるベランダ等に手摺りを据えつけるには、その支柱の下端部に普通には一対のアンカーボルトが突出して取り付けられ、コンクリートの床盤（主に堰壁）にはアンカーボルトの差込孔が穿設され、差込孔に差し込まれたアンカーボルトを予め注入された硬化性接着剤で固定する工法が採られる。
【０００３】
従来、アルミ押出形材からなる支柱にアンカーボルトを取り付けるには、一般的に、アンカーボルトを挿入または螺入する一対の差しポケットが押出成形する際に設けられる。この差しポケットは、支柱が無垢を基本断面形状とするときはその中に筒抜けに形成され、また、筒形の中空を基本形状とするときはその内周面にパイプ状部を突設することにより形成される。
【発明の開示】
【発明が解決しようとする課題】
【０００４】
しかしながら、特に筒形の内周面にパイプ状部を突設することは押出成形において技術的に困難な面がある。これに対してパイプ状の一面が開放するビスポケット形であると成形が容易であるが、アンカーボルトの支持に強度的に弱いという欠点がある。例えば、支柱に力が加わると、支柱の下端に曲げの応力が最も強く集中しやすいために、ビスポケット形の開口溝の開拡変形を伴ってアンカーボルトが曲がりやすい。また、パイプ状の閉塞した部分であるので、雨水の排出がなされなく下端に溜まりやすいという問題もあった。
【０００５】
さらに加えて言えば、本出願人において、コンクリートの床盤内の配筋にアンカーボルトの差込孔が支えるのを避けるため、差込孔を斜めに穿設する工法を開発したが、それにはアンカーボルトを支柱の下端の突出位置で折り曲げ加工することになるために、この加工作業時に、ビスポケット形であると開口溝で支柱が開拡変形しやすいという問題があった。
【０００６】
この発明は、上記のような実情に鑑みて、アンカーボルトを螺入ないし挿入して取り付ける箇所がビスポケット形であっても、その支柱の下端部に内装することにより、パイプ状部に劣らない強度を保持し得ることになるアンカーボルト付き支柱における補強部材を提供することを課題とした。
【課題を解決するための手段】
【０００７】
上記の課題を解決するために、この発明は、コンクリートの床盤にアンカーボルトの差込孔を穿孔し、複数のアンカーボルトを介して床盤の上に立設するために、中空の内周面にアンカーボルトの差しポケットが突設されるアルミ押出形材からなり、その各差しポケットが突出端面に開口溝を有するビスポケット形である支柱において、その支柱の下端部に挿入する短片形であって、差しポケットの配列の中心となる心部管に差しポケットの外側にスライド可能に嵌合する被覆ポケットが形成され、被覆ポケットは、差しポケットを抱える左右一対の円弧形リブを心部管から突出してなり、両円弧形リブの先端が差しポケットの突出頸部を挟むように形成されてなることを特徴とするアンカーボルト付き支柱における補強部材を提供する。
【０００８】
アンカーボルト付き支柱における補強部材を上記のように構成したから、ベランダ等の床盤に支柱を立設するには、支柱の下端部の差しポケットの外側に補強部材を挿入してから、支柱の下端に突出しているアンカーボルトを床盤の差込孔に落とし込み、予め注入してある硬化性接着剤の硬化により固定させると、アンカーボルトで直接支持される支柱の下端部がその補強部材により強化され、差しポケットの開口溝の開拡が阻止される状態となる。
【発明の効果】
【０００９】
以上説明したように、この発明によれば、ビスポケット形の差しポケットであっても、その支柱の下端部に内装することにより、パイプ状部に劣らない強度を保持し得ることになるために、床盤の上に当該支柱を安定して立設でき、また、仮に支柱の下端に寸法の不足があっても、補強部材を突き出す位置調整により高さを補完でき、また、支柱の中に入った雨水の排水性が得られ、さらに、コンクリートの床盤の鉄筋を避けるために斜めに差込孔を穿設し斜めにアンカーボルトに曲げ加工を施すときに、支柱の下端を損なうことなく確実にその曲げ加工を施すことができるという優れた効果がある。
【００１０】
また、請求項２の如くに、ビスにより補強部材の位置を固定すると、位置調整も容易であるために、支柱を立てる工事がしやすくなる。
【発明を実施するための最良の形態】
【００１１】
次に、この発明の実施形態を図面に基づいて説明する。
【００１２】
図面は手摺の支柱をベランダの床盤１０（端の堰壁１２）に立設する場合における一実施の形態を示したもので、図１は、雄ねじのアンカーボルト３，３付き支柱１と、それに装着する補強部材５とを結合前の分離した状態で示す斜視図であって、図２は支柱１を立設した一例の使用状態を示す要部側面図であり、図３は図２のＡ−Ａ線矢視の拡大断面図である。まず、これらの図を主体として述べる。
【００１３】
支柱１は、正方形の角筒形の中空形材を基本形とするアルミ押出形材であって、その内周面には、前後両内側面の幅中央にアンカーボルト３，３を螺入する差しポケット７，７が突設され、両差しポケット７，７は、ビスポケットを大きくした形状であって、相対向する面が開放し開口溝９，９を有する。なお、差しポケット７の内周面には、アンカーボルト３をタッピングして螺入しやすく複数の円弧形細溝１１，１１，・・が形成される。
【００１４】
支柱１の各内側面には、幅中央を中心として対等の位置にビスポケット１３，１３が突設されている。これは手摺の上端の笠木（手摺ともいう）を取り付けるために形成されるが、堰壁１２と支柱１の側面との双方に添わせるＬ字形の固定金具をビス止めするビス止め箇所としても利用される。なお、支柱１は、正方形の他に、前後に長い長方形、楕円形、円形等の様々な形状となる。
【００１５】
補強部材５は、これもアルミ押出形材からなるもので、中心のパイブ状の心部管１４にこれを中心として対称的に一対の被覆ポケット１５，１５が突設され、被覆ポケット１５は、差しポケット７の外側にスライド可能にやゝ緩く嵌まる形状であって、一対の円弧形リブ１６，１６の間に開口部１７を有する。また、開口部１７の両側縁１７ａ，１７ａが差しポケット７とその両側のビスポケット１３，１３との間の狭い間に挟まれるよう薄肉に形成され、また、両側縁１７ａ，１７ａの基端に、ビスポケット１３，１３の先端に係る段差突部１９，１９が形成されている。
【００１６】
支柱１に補強部材５を取り付けるには、その両差しポケット７，７にアンカーボルト３，３を螺入して、支柱１の下端に突出した状態において、図１に矢印で示すように、補強部材５を下から両アンカーボルト３，３に通して支柱１の下端に押し込み、支柱１の下端に補強部材５の下端が揃った状態において固定する。
【００１７】
補強部材５を固定する手段は様々となるが、この場合であると、補強部材５の一方の被覆ポケット１５の底部に心部管１４に向けてビス２１の螺入孔２３を穿設しておき、ビス２１の頭がアンカーボルト３のねじ山に微妙に接触するように螺入しておく。この状態で補強部材５を接触の抵抗に抗して心部管１４に所定箇所まで押し込むと、ガタつくことなく後の作業により移動しない程度ではあるが簡単に過不足なく固定でき、位置調整も可能である。
【００１８】
補強部材５を上記のように取り付け、予め穿設してある差込孔２５，２５に硬化性接着剤を流し込んでからアンカーボルト３，３を差し込み、支柱１を立設し硬化性接着剤の硬化で固定させると、支柱１の立設が完了する。図２において、Ｈは補強部材５が支柱１に取り付けられている範囲を示し、２７は支柱１の下端部を被覆する支柱カバーである。
【００１９】
支柱１をこのように立設した場合、支柱１に力を受けても、差しポケット７，７が開口溝９で開かないよう補強部材５の被覆ポケット１５が保持するため、アンカーボルト３，３が真っ直ぐに保持されることにより、支柱１は倒れることなく真っ直ぐに保持される。
【００２０】
図４は、補強部材５の異なる使用形態を示し。前記使用形態では、支柱１の下端が補強部材５とともに堰壁１２の上面に支えているが、今度の場合は、誤差のために（同図では分かりやすく大きく誤差αを示す）、支柱１の下端が堰壁１２の上面から誤差αだけ浮き上がるときに適用する。
【００２１】
誤差αがあっても何らの措置をしないと、支柱が浮いた範囲においてアンカーボルト３，３に曲げ応力が集中しやすいが、この実施形態では、支柱１の下端に補強部材５を寸法α分だけ突き出し、その下端が堰壁１２の上面に支える状態に設定したので、アンカーボルト３，３が曲がったり、差しポケット７，７が開拡しないよう補強部材５で下端部が強化される。なお、この措置はカバー２７により見えなくなる。なお、図中、２６は鉄筋である。
【図面の簡単な説明】
【００２２】
【図１】この発明に係るアンカーボルト付き支柱と補強部材とを取付け要領において示す分離斜視図である。
【図２】同実施形態において支柱を立設した状態を示す床盤の断面図である。
【図３】図２のＡ−Ａ線矢視の拡大断面図である。
【図４】同実施形態において支柱を立設する場合に、支柱の下端の寸法不足を補強部材で補完した特殊使用状態を示す床盤の断面図である。
【符号の説明】
【００２３】
１  支柱
３  アンカーボルト
５  補強部材
７  差しポケット
９  開口溝
１０  床盤
１２  床盤の堰壁
１４  心部管
１５  被覆ポケット
１６  円弧形リブ
２１  ビス
２３  螺入孔
２５  差込孔
Ｈ  補強部材５の取付け範囲（短片形範囲）
【図１】
0005093810.tif 000002
【図２】
0005093810.tif 000003
【図３】
0005093810.tif 000004
【図４】
0005093810.tif 000005